(57)【要約】【課題】タップ回数に応じた送信方法によって、任意のメッセージを利用者が記入したアドレスに送信することが可能な端末装置、それに用いられるプログラム及び情報処理システムを提供する。【解決手段】利用者は、電子ペン１０Ａにより電子ペン用媒体における自由記入エリア５１、アドレス記入エリア５２及び選択エリア５３に記入又はタップを行う。端末装置２５Ａは、電子ペン１０Ａから記入情報を取得し、座標定義情報を参照することで、利用者が記入又はタップを行ったユーザエリアを特定する。続いて、端末装置２５Ａは、記入情報に基づいて選択エリア５３へのタップ回数を検出し、方法定義情報を参照することで送信方法を特定する。そして、端末装置２５Ａは、特定した送信方法により、自由記入エリア５１に記入されたメッセージ記入情報を、アドレス記入エリア５２に記入されたアドレスに基づいて送信する。【選択図】図１１
2009187236.tif 000002
【特許請求の範囲】
【請求項１】
電子ペンにより認識可能なコード化パターンが印刷された電子ペン用媒体に記入された情報を処理する端末装置であって、
前記電子ペン用媒体は、任意のメッセージが記入される自由記入エリアと、前記メッセージの送信先を特定する送信先情報が記入される送信先情報記入エリアと、前記メッセージの送信方法を選択する選択エリアとを有しており、
前記端末装置は、
前記自由記入エリア、前記送信先情報記入エリア及び前記選択エリアと、前記コード化パターン上の位置座標を示す座標データとを対応付けた座標定義情報を記憶する座標定義情報記憶手段と、
前記選択エリアへの前記電子ペンによるタップ回数と、前記メッセージの送信方法とを対応付けて記憶する方法定義情報記憶手段と、
前記電子ペンから、前記電子ペン用媒体への記入内容に対応する記入情報を取得する記入情報取得手段と、
前記記入情報に含まれる座標データに基づいて前記座標定義情報を参照することで、前記電子ペンが記入したエリアを特定するエリア特定手段と、
前記エリア特定手段が前記自由記入エリアに記入したと特定した場合、前記記入情報はメッセージに対応するメッセージ記入情報であると特定するメッセージ記入情報特定手段と、
前記エリア特定手段が前記送信先情報記入エリアに記入したと特定した場合、前記記入情報に基づいて文字認識により送信先情報を特定する送信先情報特定手段と、
前記エリア特定手段が前記選択エリアに記入したと特定した場合、前記記入情報に基づいて、前記選択エリアへのタップ回数を検出するタップ回数検出手段と、
前記タップ回数検出手段が検出したタップ回数に基づいて前記方法定義情報を参照することで、対応する送信方法を特定する送信方法特定手段と、
前記送信方法特定手段が特定した送信方法により、前記送信先情報特定手段が特定した送信先情報に基づいて、前記メッセージ記入情報特定手段により特定されたメッセージ記入情報を送信する送信手段と、を備えることを特徴とする端末装置。
【請求項２】
前記電子ペンは、取得した記入情報を即時的且つ逐次的に前記端末装置へ送信することを特徴とする請求項１に記載の端末装置。
【請求項３】
前記記入情報に基づいて、データ開始点及びデータ終了点を特定する開始終了点特定手段をさらに備え、
前記エリア特定手段は、前記データ開始点及び前記データ終了点の座標データに基づいて前記座標定義情報を参照することで、当該データ開始点及び当該データ終了点の双方が含まれる前記エリアを特定するものであり、
前記タップ回数検出手段は、前記データ開始点及び前記データ終了点に基づく時間及び／又は両点間の移動距離により、前記選択エリアがタップされた回数であるタップ回数を検出することを特徴とする請求項１又は２に記載の端末装置。
【請求項４】
前記タップ回数検出手段は、前記記入情報に基づくタップが、前記選択エリアに対する最後のタップから、予め設定された所定読取時間以上経過している場合、タップ回数を初期値にリセットしてからカウントすることを特徴とする請求項１乃至３のいずれか一項に記載の端末装置。
【請求項５】
前記方法定義情報記憶手段は、前記タップ回数と、前記メッセージの送信方法と、前記送信方法を説明する音声データとを対応付けて記憶しており、
前記端末装置は、
前記音声データに基づいて音声を出力する音声出力部と、
前記タップ回数検出手段が検出したタップ回数が変化する度に、当該タップ回数に基づいて、前記方法定義情報記憶手段から対応する音声データを抽出する音声データ抽出手段と、
前記音声データ抽出手段が抽出した音声データに基づいて、前記音声出力部から音声を出力する音声出力手段と、を備えることを特徴とする請求項１乃至４のいずれか一項に記載の端末装置。
【請求項６】
前記方法定義情報記憶手段は、前記タップ回数と、前記メッセージの送信方法と、前記送信方法を説明する音声データとを対応付けて記憶しており、
前記タップ回数検出手段は、前記エリア特定手段が前記選択エリアに記入したと特定した場合、前記記入情報に基づいて、一定時間内における前記選択エリアへのタップ回数を検出するものであって、
前記端末装置は、
前記音声データに基づいて音声を出力する音声出力部と、
前記タップ回数検出手段が検出したタップ回数に基づいて、前記方法定義情報記憶手段から対応する音声データを抽出する音声データ抽出手段と、
前記音声データ抽出手段が抽出した音声データに基づいて、前記音声出力部から音声を出力する音声出力手段と、を備えることを特徴とする請求項１乃至４のいずれか一項に記載の端末装置。
【請求項７】
前記記入情報に基づいて文字認識をすることにより、前記送信方法の決定を示す記号が電子ペン用媒体に記入されたか否かを判定する決定判定手段と、
前記決定判定手段により前記記号が記入されたと判定された場合に、その時点で前記タップ回数検出手段が検出しているタップ回数を確定するタップ回数確定手段と、をさらに備え、
前記送信方法特定手段は、前記タップ回数確定手段が確定したタップ回数に基づいて前記方法定義情報を参照することで、対応する送信方法を特定することを特徴とする請求項１乃至６のいずれか一項に記載の端末装置。
【請求項８】
前記電子ペン用媒体は、さらに、前記メッセージの送信方法を決定する決定エリアを有しており、
前記座標定義情報記憶手段は、さらに、前記決定エリアと、前記座標データとを対応付けた情報を座標定義情報として記憶するものであって、
前記端末装置は、
前記エリア特定手段が前記決定エリアに記入したと特定した場合、その時点で前記タップ回数検出手段が検出しているタップ回数を確定するタップ回数確定手段をさらに備え、
前記送信方法特定手段は、前記タップ回数確定手段が確定したタップ回数に基づいて前記方法定義情報を参照することで、対応する送信方法を特定することを特徴とする請求項１乃至６のいずれか一項に記載の端末装置。
【請求項９】
前記メッセージ記入情報に基づいて画像データを作成する画像データ作成手段をさらに備え、
前記送信手段は、前記送信方法特定手段が特定した送信方法により、前記送信先情報特定手段が特定した送信先情報に基づいて、前記画像データ作成手段が作成した画像データを送信することを特徴とする請求項１乃至８のいずれか一項に記載の端末装置。
【請求項１０】
前記メッセージ記入情報に基づいて文字認識をすることでテキストデータを作成するテキストデータ作成手段をさらに備え、
前記送信手段は、前記送信方法特定手段が特定した送信方法により、前記送信先情報特定手段が特定した送信先情報に基づいて、前記テキストデータ作成手段が作成したテキストデータを送信することを特徴とする請求項１乃至９のいずれか一項に記載の端末装置。
【請求項１１】
電子ペンにより認識可能なコード化パターンが印刷された電子ペン用媒体に記入された情報を処理するコンピュータにより実行されるプログラムであって、
前記電子ペン用媒体は、任意のメッセージが記入される自由記入エリアと、前記メッセージの送信先を特定する送信先情報が記入される送信先情報記入エリアと、前記メッセージの送信方法を選択する選択エリアとを有しており、
前記プログラムは、
前記自由記入エリア、前記送信先情報記入エリア及び前記選択エリアと、前記コード化パターン上の位置座標を示す座標データとを対応付けた座標定義情報を記憶する座標定義情報記憶手段、
前記選択エリアへの前記電子ペンによるタップ回数と、前記メッセージの送信方法とを対応付けて記憶する方法定義情報記憶手段、
前記電子ペンから、前記電子ペン用媒体への記入内容に対応する記入情報を取得する記入情報取得手段、
前記記入情報に含まれる座標データに基づいて前記座標定義情報を参照することで、前記電子ペンが記入したエリアを特定するエリア特定手段、
前記エリア特定手段が前記自由記入エリアに記入したと特定した場合、前記記入情報はメッセージに対応するメッセージ記入情報であると特定するメッセージ記入情報特定手段、
前記エリア特定手段が前記送信先情報記入エリアに記入したと特定した場合、前記記入情報に基づいて文字認識により送信先情報を特定する送信先情報特定手段、
前記エリア特定手段が前記選択エリアに記入したと特定した場合、前記記入情報に基づいて、前記選択エリアへのタップ回数を検出するタップ回数検出手段、
前記タップ回数検出手段が検出したタップ回数に基づいて前記方法定義情報を参照することで、対応する送信方法を特定する送信方法特定手段、
前記送信方法特定手段が特定した送信方法により、前記送信先情報特定手段が特定した送信先情報に基づいて、前記メッセージ記入情報特定手段により特定されたメッセージ記入情報を送信する送信手段、として前記コンピュータを機能させることを特徴とするプログラム。
【請求項１２】
コード化パターンが印刷され、任意のメッセージが記入される自由記入エリアと、前記メッセージの送信先を特定する送信先情報が記入される送信先情報記入エリアと、前記メッセージの送信方法を選択する選択エリアとを有する電子ペン用媒体と、
前記電子ペン用媒体に印刷されたコード化パターンを記入情報として読み取り、外部に送信する電子ペンと、
前記電子ペンにより送信された前記記入情報を取得し、所定の処理を実行する端末装置と、を備える情報処理システムであって、
前記端末装置は、
前記自由記入エリア、前記送信先情報記入エリア及び前記選択エリアと、前記コード化パターン上の位置座標を示す座標データとを対応付けた座標定義情報を記憶する座標定義情報記憶手段と、
前記選択エリアへの前記電子ペンによるタップ回数と、前記メッセージの送信方法とを対応付けて記憶する方法定義情報記憶手段と、
前記電子ペンから、前記電子ペン用媒体への記入内容に対応する記入情報を取得する記入情報取得手段と、
前記記入情報に含まれる座標データに基づいて前記座標定義情報を参照することで、前記電子ペンが記入したエリアを特定するエリア特定手段と、
前記エリア特定手段が前記自由記入エリアに記入したと特定した場合、前記記入情報はメッセージに対応するメッセージ記入情報であると特定するメッセージ記入情報特定手段と、
前記エリア特定手段が前記送信先情報記入エリアに記入したと特定した場合、前記記入情報に基づいて文字認識により送信先情報を特定する送信先情報特定手段と、
前記エリア特定手段が前記選択エリアに記入したと特定した場合、前記記入情報に基づいて、前記選択エリアへのタップ回数を検出するタップ回数検出手段と、
前記タップ回数検出手段が検出したタップ回数に基づいて前記方法定義情報を参照することで、対応する送信方法を特定する送信方法特定手段と、
前記送信方法特定手段が特定した送信方法により、前記送信先情報特定手段が特定した送信先情報に基づいて、前記メッセージ記入情報特定手段により特定されたメッセージ記入情報を送信する送信手段と、を備えることを特徴とする情報処理システム。
【発明の詳細な説明】
【技術分野】
【０００１】
本発明は、電子ペンにより電子ペン用媒体等に記入された記入情報を処理する技術に関する。
【背景技術】
【０００２】
近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている（特許文献１参照）。アノトペンは、所定のドットパターンが印刷された専用紙（以下、「専用ペーパー」とも呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像にチェックマークを記入したりすると、ペンの移動に伴って小型カメラが専用紙に印刷されたドットパターンを検出し、利用者が書き込んだ文字、画像などの記入情報が取得される。この記入情報が、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。そのため、現在、各種ビジネス上の書類、申込書、契約書等に記入されたデータをデジタル化する手法として、電子ペンを利用したシステムが普及しつつある（例えば、特許文献２）。
【０００３】
特許文献３には、このような電子ペンを利用して専用紙上にアドレス情報（例えば、電子メールアドレス、ＦＡＸ番号等）を記入することにより、利用者が希望する送信方法（Ｅ−ｍａｉｌ、ファクシミリ、郵送等）でデータを送信する処理が開示されている。この処理において利用者が希望する送信方法は、予めサーバに登録されている。即ち、特許文献３には、専用紙上に記入されたアドレス情報に基づいて予め登録された送信方法でデータを送信する処理が開示されているのであって、電子ペンにより利用者が希望する送信方法を特定した上でデータを送信する処理については記載されていない。
【０００４】
【特許文献１】特表２００３−５１１７６１号公報
【特許文献２】特開２００４−１５３６１２号公報
【特許文献３】特開２００４−２８４１７０号公報
【発明の開示】
【発明が解決しようとする課題】
【０００５】
そこで本発明は、電子ペン及び電子ペン用媒体を利用し、タップ回数に応じた送信方法によって、任意のメッセージを、利用者が記入した送信先情報に送信することが可能な端末装置、それに用いられるプログラム及び情報処理システムを提供することを課題とする。
【課題を解決するための手段】
【０００６】
本発明に係る端末装置は、電子ペンにより認識可能なコード化パターンが印刷された電子ペン用媒体に記入された情報を処理する端末装置であって、前記電子ペン用媒体は、任意のメッセージが記入される自由記入エリアと、前記メッセージの送信先を特定する送信先情報が記入される送信先情報記入エリアと、前記メッセージの送信方法を選択する選択エリアとを有しており、前記端末装置は、前記自由記入エリア、前記送信先情報記入エリア及び前記選択エリアと、前記コード化パターン上の位置座標を示す座標データとを対応付けた座標定義情報を記憶する座標定義情報記憶手段と、前記選択エリアへの前記電子ペンによるタップ回数と、前記メッセージの送信方法とを対応付けて記憶する方法定義情報記憶手段と、前記電子ペンから、前記電子ペン用媒体への記入内容に対応する記入情報を取得する記入情報取得手段と、前記記入情報に含まれる座標データに基づいて前記座標定義情報を参照することで、前記電子ペンが記入したエリアを特定するエリア特定手段と、前記エリア特定手段が前記自由記入エリアに記入したと特定した場合、前記記入情報はメッセージに対応するメッセージ記入情報であると特定するメッセージ記入情報特定手段と、前記エリア特定手段が前記送信先情報記入エリアに記入したと特定した場合、前記記入情報に基づいて文字認識により送信先情報を特定する送信先情報特定手段と、前記エリア特定手段が前記選択エリアに記入したと特定した場合、前記記入情報に基づいて、前記選択エリアへのタップ回数を検出するタップ回数検出手段と、前記タップ回数検出手段が検出したタップ回数に基づいて前記方法定義情報を参照することで、対応する送信方法を特定する送信方法特定手段と、前記送信方法特定手段が特定した送信方法により、前記送信先情報特定手段が特定した送信先情報に基づいて、前記メッセージ記入情報特定手段により特定されたメッセージ記入情報を送信する送信手段と、を備える。
【０００７】
このような構成において、利用者は、電子ペンを使用して、電子ペン用媒体の自由記入エリアに任意のメッセージを、送信先情報記入エリアに任意の第三者の送信先情報を記入する。送信先情報とは、例えばメールアドレスやＦＡＸ番号等である。続いて、利用者は、選択エリアをタップすることにより、メッセージの送信方法を選択する。この構成によれば、利用者が電子ペンにより電子ペン用媒体の各エリアに記入又はタップをすると、電子ペンは電子ペン用媒体への記入又はタップによる記入情報を端末装置に送信する。端末装置では、記入情報取得手段によってその記入情報が取得され、エリア特定手段が、記入情報取得手段により取得された記入情報に含まれる座標データに基づいて、座標定義情報記憶手段に記憶された座標定義情報を参照し、エリアを特定する。さらに、メッセージ記入情報特定手段は、エリア特定手段により電子ペン用媒体の自由記入エリアに対応すると特定された記入情報を、メッセージ記入情報に特定する。続いて、送信先情報特定手段は、エリア特定手段により送信先情報記入エリアに対応すると特定された記入情報に基づいて、ＨＷＲ（HandWriting Recognition；手書き文字認識）やＯＣＲ（Optical Character Recognition；光学文字認識）等により文字認識を行うことで、当該送信先情報記入エリアに記入された送信先情報を特定する。また、タップ回数検出手段は、エリア特定手段により選択エリアに対応すると特定された記入情報に基づいて、当該選択エリアへのタップ回数をカウントして検出する。さらに、送信方法特定手段は、タップ回数検出手段により検出されたタップ回数に基づいて、方法定義情報記憶手段に記憶された方法定義情報を参照し、自由記入エリアへ記入されたメッセージの送信方法を特定する。送信手段は、送信方法特定手段が特定した送信方法により、送信先情報特定手段が特定した送信先情報に基づいて、メッセージ記入情報特定手段が特定したメッセージ記入情報を送信する。即ち、電子ペンにより電子ペン用媒体に記入された任意のメッセージを、記入された送信先情報に基づいて第三者の端末装置へ送信する。このように、端末装置は、選択エリアを電子ペンがタップする回数に基づいて送信方法の選択をすることができる。つまり、電子ペンから取得した１つのユーザエリアへの記入情報に基づいて、複数の送信方法から任意の送信方法を選択し、利用者が記入したメッセージを容易に送信することができる。よって、電子ペン用媒体上におけるユーザエリアのスペースを節約することができ、利用者はより自由にメッセージを記入することができる。さらに、電子ペン用媒体のデザインの自由度が増すので、より見やすいデザインを設計することができる。
【０００８】
上記のような構成において、前記電子ペンは、取得した記入情報を即時的且つ逐次的に前記端末装置へ送信するとよい。これにより、利用者が電子ペンで電子ペン用媒体のユーザエリアにタップを行うと、端末装置によってリアルタイムで即座にメッセージの送信が行われるため、利用者の操作性が高まる。
【０００９】
さらに、上記端末装置において、前記記入情報に基づいて、データ開始点及びデータ終了点を特定する開始終了点特定手段をさらに備え、前記エリア特定手段は、前記データ開始点及び前記データ終了点の座標データに基づいて前記座標定義情報を参照することで、当該データ開始点及び当該データ終了点の双方が含まれる前記エリアを特定するものであり、前記タップ回数検出手段は、前記データ開始点及び前記データ終了点に基づく時間及び／又は両点間の移動距離により、前記選択エリアがタップされた回数であるタップ回数を検出する。
【００１０】
このように構成された端末装置によれば、開始終了点特定手段が記入情報に基づき、データ開始点及びデータ終了点を特定し、エリア特定手段は、開始終了点特定手段によって特定されたデータ開始点とデータ終了点の座標データに基づき座標定義情報を参照して、当該データ開始点及び当該データ終了点の双方が含まれるユーザエリアを特定する。そして、タップ回数検出手段は、データ開始点及びデータ終了点に基づく時間及び／又は両点間の移動距離により、エリア特定手段が特定したユーザエリアに対してタップされたタップ回数をカウントする。このように、利用者が電子ペン用媒体に記入したストロークのうち、タップ回数としてカウントするのは、一つのユーザエリアにデータ開始点及びデータ終了点の双方が含まれるものが対象となる。これにより、利用者が電子ペン用媒体に記入したストロークのデータ開始点及びデータ終了点のいずれかがユーザエリアの範囲外にある場合には、利用者が特定のユーザエリアに記入又はタップをしたのではないと判定することができる。また、タップ回数検出手段によって、データ開始点及びデータ終了点に基づく時間及び／又は両点間の移動距離に基づいて、利用者の記入したストロークが、タップであるか否か判定され、文字や図柄とは区別される。
【００１１】
上記端末装置の他の一態様では、前記タップ回数検出手段は、前記記入情報に基づくタップが、前記選択エリアに対する最後のタップから、予め設定された所定読取時間以上経過している場合、タップ回数を初期値にリセットしてからカウントすることを特徴とする。このように構成された端末装置によれば、タップ回数検出手段は、記入情報に基づく新たなタップが、選択エリアに対する最後のタップから所定読取時間以上経過しているか否かを判定し、当該所定読取時間以上経過している場合、タップ回数を初期値（例えば「０」）にリセットしてからカウントする。これによれば、所定読取時間以上間隔のあいたタップ同士は、タップ回数としては別々にカウントされるため、タップ回数を的確にカウントすることができる。
【００１２】
上記端末装置の他の一態様では、前記方法定義情報記憶手段は、前記タップ回数と、前記メッセージの送信方法と、前記送信方法を説明する音声データとを対応付けて記憶しており、前記端末装置は、前記音声データに基づいて音声を出力する音声出力部と、前記タップ回数検出手段が検出したタップ回数が変化する度に、当該タップ回数に基づいて、前記方法定義情報記憶手段から対応する音声データを抽出する音声データ抽出手段と、前記音声データ抽出手段が抽出した音声データに基づいて、前記音声出力部から音声を出力する音声出力手段と、を備える。
【００１３】
このように構成された端末装置によれば、音声データ抽出手段は、タップ回数検出手段により検出されたタップ回数に基づいて、方法定義情報記憶手段に記憶された方法定義情報から対応する音声データを抽出する。そして、音声出力手段は、音声データ抽出手段により抽出された音声データに基づいて、音声出力部から音声を出力する。このように、端末装置は、利用者が電子ペンにより選択エリアをタップする度に、そのタップ回数に応じた送信方法を説明する音声を出力することができる。よって、利用者は、自分が選択した送信方法を音声によって容易に認識することができる。
【００１４】
上記端末装置の他の一態様では、前記方法定義情報記憶手段は、前記タップ回数と、前記メッセージの送信方法と、前記送信方法を説明する音声データとを対応付けて記憶しており、前記タップ回数検出手段は、前記エリア特定手段が前記選択エリアに記入したと特定した場合、前記記入情報に基づいて、一定時間内における前記選択エリアへのタップ回数を検出するものであって、前記端末装置は、前記音声データに基づいて音声を出力する音声出力部と、前記タップ回数検出手段が検出したタップ回数に基づいて、前記方法定義情報記憶手段から対応する音声データを抽出する音声データ抽出手段と、前記音声データ抽出手段が抽出した音声データに基づいて、前記音声出力部から音声を出力する音声出力手段と、を備える。
【００１５】
このように構成された端末装置によれば、タップ回数検出手段は、一定時間内における選択エリアへのタップ回数を検出する。続いて、音声データ抽出手段は、タップ回数検出手段により検出された一定時間内のタップ回数に基づいて、方法定義情報記憶手段に記憶された方法定義情報から対応する音声データを抽出する。そして、音声出力手段は、音声データ抽出手段により抽出された音声データに基づいて、音声出力部から音声を出力する。このように、端末装置は、一定時間内のタップ回数に応じた送信方法を説明する音声を出力することもできる。よって、利用者は、自分が選択した送信方法を音声によって容易に確認することができる。
【００１６】
上記端末装置の他の一態様では、前記記入情報に基づいて文字認識をすることにより、前記送信方法の決定を示す記号が電子ペン用媒体に記入されたか否かを判定する決定判定手段と、前記決定判定手段により前記記号が記入されたと判定された場合に、その時点で前記タップ回数検出手段が検出しているタップ回数を確定するタップ回数確定手段と、をさらに備え、前記送信方法特定手段は、前記タップ回数確定手段が確定したタップ回数に基づいて前記方法定義情報を参照することで、対応する送信方法を特定する。
【００１７】
このように構成された端末装置によれば、決定判定手段は、記入情報取得手段により取得された記入情報に基づいて、ＨＷＲやＯＣＲ等による文字認識を実行することにより、電子ペン用媒体に送信方法の決定を示す記号が記入されたか否かを判定する。続いて、タップ回数確定手段は、決定判定手段により電子ペン用媒体に当該記号が記入されたと判定された場合に、その時点でタップ回数検出手段が検出したタップ回数を確定する。そして、送信方法特定手段は、タップ回数確定手段が確定したタップ回数に基づいて、方法定義情報記憶手段に記憶された方法定義情報を参照し、送信方法を特定する。よって、端末装置は、利用者が決定した送信方法により、メッセージに対応するメッセージ記入情報を任意の端末装置へ送信することができる。
【００１８】
上記端末装置の他の一態様では、前記電子ペン用媒体は、さらに、前記メッセージの送信方法を決定する決定エリアを有しており、前記座標定義情報記憶手段は、さらに、前記決定エリアと、前記座標データとを対応付けた情報を座標定義情報として記憶するものであって、前記端末装置は、前記エリア特定手段が前記決定エリアに記入したと特定した場合、当該記号時点で前記タップ回数検出手段が検出しているタップ回数を確定するタップ回数確定手段をさらに備え、前記送信方法特定手段は、前記タップ回数確定手段が確定したタップ回数に基づいて前記方法定義情報を参照することで、対応する送信方法を特定する。
【００１９】
このように構成された端末装置によれば、タップ回数確定手段は、エリア特定手段により記入情報が決定エリアに記入されたものであると特定された場合、決定エリアへの記入時点で前記タップ回数検出手段が検出しているタップ回数を確定する。そして、前記送信方法特定手段は、タップ回数確定手段が確定したタップ回数に基づいて、方法定義情報記憶手段に記憶された方法定義情報を参照し、送信方法を特定する。よって、端末装置は、利用者が決定した送信方法により、メッセージに対応するメッセージ記入情報を任意の端末装置へ送信することができる。
【００２０】
上記端末装置の他の一態様では、前記メッセージ記入情報に基づいて画像データを作成する画像データ作成手段をさらに備え、前記送信手段は、前記送信方法特定手段が特定した送信方法により、前記送信先情報特定手段が特定した送信先情報に基づいて、前記画像データ作成手段が作成した画像データを送信する。これによれば、端末装置は、利用者が自由記入エリアに記入したメッセージを画像データとして任意の端末装置へ送信することができる。
【００２１】
上記端末装置のさらに他の一態様では、前記メッセージ記入情報に基づいて文字認識をすることでテキストデータを作成するテキストデータ作成手段をさらに備え、前記送信手段は、前記送信方法特定手段が特定した送信方法により、前記送信先情報特定手段が特定した送信先情報に基づいて、前記テキストデータ作成手段が作成したテキストデータを送信する。これによれば、端末装置は、利用者が自由記入エリアに記入したメッセージをテキストデータとして任意の端末装置へ送信することができる。
【００２２】
また、本発明に係るプログラムは、電子ペンにより認識可能なコード化パターンが印刷された電子ペン用媒体に記入された情報を処理するコンピュータにより実行されるプログラムであって、前記電子ペン用媒体は、任意のメッセージが記入される自由記入エリアと、前記メッセージの送信先を特定する送信先情報が記入される送信先情報記入エリアと、前記メッセージの送信方法を選択する選択エリアとを有しており、前記プログラムは、前記自由記入エリア、前記送信先情報記入エリア及び前記選択エリアと、前記コード化パターン上の位置座標を示す座標データとを対応付けた座標定義情報を記憶する座標定義情報記憶手段、前記選択エリアへの前記電子ペンによるタップ回数と、前記メッセージの送信方法とを対応付けて記憶する方法定義情報記憶手段、前記電子ペンから、前記電子ペン用媒体への記入内容に対応する記入情報を取得する記入情報取得手段、前記記入情報に含まれる座標データに基づいて前記座標定義情報を参照することで、前記電子ペンが記入したエリアを特定するエリア特定手段、前記エリア特定手段が前記自由記入エリアに記入したと特定した場合、前記記入情報はメッセージに対応するメッセージ記入情報であると特定するメッセージ記入情報特定手段、前記エリア特定手段が前記送信先情報記入エリアに記入したと特定した場合、前記記入情報に基づいて文字認識により送信先情報を特定する送信先情報特定手段、前記エリア特定手段が前記選択エリアに記入したと特定した場合、前記記入情報に基づいて、前記選択エリアへのタップ回数を検出するタップ回数検出手段、前記タップ回数検出手段が検出したタップ回数に基づいて前記方法定義情報を参照することで、対応する送信方法を特定する送信方法特定手段、前記送信方法特定手段が特定した送信方法により、前記送信先情報特定手段が特定した送信先情報に基づいて、前記メッセージ記入情報特定手段により特定されたメッセージ記入情報を送信する送信手段、として前記コンピュータを機能させることを特徴とする。
【００２３】
上記プログラムをコンピュータにより実行することにより、上述の端末装置を実現することができる。
【００２４】
また、本発明に係る情報処理システムによれば、利用者が電子ペンにより電子ペン用帳票の自由記入エリア、送信先情報記入エリア及び選択エリアに記入又はタップを行うと、電子ペンは、電子ペン用媒体への記入又はタップによる記入情報を端末装置へ送信する。そして、端末装置では、記入情報取得手段によってその記入情報が取得され、エリア特定手段が、記入情報取得手段により取得された記入情報に含まれる座標データに基づいて、座標定義情報記憶手段に記憶された座標定義情報を参照し、エリアを特定する。さらに、メッセージ記入情報特定手段は、エリア特定手段により電子ペン用媒体の自由記入エリアに対応すると特定された記入情報を、メッセージ記入情報に特定する。続いて、送信先情報特定手段は、エリア特定手段により送信先情報記入エリアに対応すると特定された記入情報に基づいて、ＨＷＲやＯＣＲ等により文字認識を行うことで、当該送信先情報記入エリアに記入された送信先情報を特定する。また、タップ回数検出手段は、エリア特定手段により選択エリアに対応すると特定された記入情報に基づいて、当該選択エリアへのタップ回数をカウントして検出する。さらに、送信方法特定手段は、タップ回数検出手段により検出されたタップ回数に基づいて、方法定義情報記憶手段に記憶された方法定義情報を参照し、自由記入エリアへ記入されたメッセージの送信方法を特定する。送信手段は、送信方法特定手段が特定した送信方法により、送信先情報特定手段が特定した送信先情報に基づいて、メッセージ記入情報特定手段が特定したメッセージ記入情報を送信する。このように、端末装置は、選択エリアを電子ペンがタップする回数に基づいて送信方法を選択することができる。つまり、電子ペンから取得した１つのユーザエリアへの記入情報に基づいて、複数の送信方法から任意の送信方法を選択し、利用者が記入したメッセージを容易に送信することができる。よって、電子ペン用媒体上におけるユーザエリアのスペースを節約することができ、利用者はより自由にメッセージを記入することができる。
【発明の効果】
【００２５】
本発明に係る端末装置、それに用いられるプログラム及び情報処理システムによれば、電子ペン及び電子ペン用媒体を利用し、タップ回数に応じた送信方法によって、任意のメッセージを利用者が記入した送信先情報に送信することができる。
【発明を実施するための最良の形態】
【００２６】
以下、図面を参照して本発明の好適な実施の形態について説明する。
【００２７】
＜第１実施形態＞
本実施形態の情報処理システムは、図１及び図２に示すように、電子ペン１０Ａ（１０）と、専用ペーパー（電子ペン用媒体）２０と、端末装置２５Ａ（２５）とから構成される。ここで、図１は電子ペン１０Ａの使用形態を模式的に示す図であり、図２は電子ペン１０Ａの構成を示すブロック図である。専用ペーパー２０には、ドットパターン（コード化パターン）が印刷されている。電子ペン１０Ａは、通常のインクペンと同様のペン先部１７を備えており、利用者が通常のインクペンと同様にペン先部１７によって専用ペーパー２０上に文字などを書くと、電子ペン１０Ａは、ペン先部１７の移動軌跡に沿って、専用ペーパー２０に印刷されたドットパターンを局所的、連続的に読み取り、専用ペーパー２０におけるその局所位置の座標を算出し、その座標データ等を端末装置２５Ａに送信する。電子ペン１０Ａは、端末装置２５Ａへ確実にデータを送信できるよう、端末装置２５Ａの近傍で使用される。端末装置２５Ａは、受信した座標データ等に基づいて、入力文字を記憶したり、タップに応じた処理を行ったりする等、所定の処理を実行する。以下、各構成について詳細に説明する。
【００２８】
[ 専用ペーパー ]
まず、専用ペーパー２０について説明する。専用ペーパー２０は、用紙上にドットパターンが印刷され、さらにその上に罫線や記入枠などの図案や項目、文言、イラスト等が印刷されたものである。ドットパターンは、赤外線を吸収するカーボンを含んだインキにより印刷される。また、図案等は、カーボンを含まない通常のインキにより印刷される。ドットパターンと図案等とは用紙に対して同時に印刷してもよいし、どちらかを先に印刷してもよい。
【００２９】
図５に、図案等が印刷された専用ペーパー２０の例を示す。図５に示す例において専用ペーパー２０は、ユーザエリアである自由記入エリア５１、アドレス記入エリア５２及び選択エリア５３が印刷されている。ドットパターンは、専用ペーパー２０のほぼ全面に印刷されており、その上に所定の文字や罫線、ユーザエリア５１乃至５３がカーボンを含まない通常のインキにより印刷されている。
【００３０】
自由記入エリア５１は、任意のメッセージを記入するエリアであり、アドレス記入エリア５２は送信先アドレスを記入するエリアである。送信先アドレスとは、例えばメールアドレスやＦＡＸ番号等であって、本発明における送信先情報の一例である。また、アドレス記入エリアは、本発明における送信先情報記入エリアの一例である。選択エリア５３は、タップ回数によりメッセージの送信方法を選択するエリアである。選択エリア５４へのタップ回数と送信方法とは、予め対応付けられている。本実施形態において送信方法は、ＦＡＸ送信、メール送信、ＳＭＳ（Short Message Service）送信の３つであるとする。ＦＡＸ送信とは、ＦＡＸ端末に対し、メッセージをＦＡＸ送信することである。メール送信とは、ＰＣや携帯電話等の端末装置に対し、メッセージをｅメールに添付して送信することである。ＳＭＳ送信とは、携帯電話等の端末装置に対し、メッセージをＳＭＳ送信することである。
【００３１】
利用者は、任意のメッセージを第三者へ送信したい場合、ドットパターンを意識することなく、電子ペン１０Ａを使用して自由記入エリア５１に任意のメッセージを記入し、アドレス記入エリア５２に第三者が使用する端末のアドレスを記入する。続いて、利用者は、電子ペン１０Ａを使用して選択エリア５３をタップ（電子ペン１０Ａのペン先部１７の専用ペーパー（電子ペン用媒体）２０への軽叩）することにより、送信方法を選択する。なお、利用者は、送信方法としてＦＡＸ送信を選択する場合、アドレス記入エリア５２にＦＡＸ番号を記入する必要がある。同様に、利用者は、送信方法としてメール送信を選択する場合、アドレス記入エリア５２にメールアドレスを記入する必要がある。また、利用者は、送信方法としてＳＭＳ送信を選択する場合、アドレス記入エリア５２に携帯電話の番号を記入する必要がある。
【００３２】
[ ドットパターン ]
続いて、ドットパターンについて説明する。図３は、専用ペーパー２０に印刷されたドットパターンのドットとそのドットが変換される値との関係を説明する図である。図３に示すように、ドットパターンの各ドットは、その位置によって所定の値に対応付けられている。すなわち、ドットの位置を格子の基準位置（縦線及び横線の交差点）から上下左右のどの方向にシフトされているかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、専用ペーパー２０上の位置座標が決定されるよう構成されている。
【００３３】
図４（ａ）は、あるドットパターンの配列を示している。図４（ａ）に示すように、縦横約２mmの範囲内に６×６個のドットが、専用ペーパー上のどの部分から６×６ドットを取ってもユニークなパターンとなるように配置されている。これら３６個のドットにより形成されるドットパターンは位置座標（例えば、そのドットパターンがその専用ペーパー上のどの位置にあるのか）を保持している。図４（ｂ）は、図４（ａ）に示す各ドットを、格子の基準位置からのシフト方向によって、図３に示す規則性に基づいて対応づけられた値に変換したものである。この変換は、ドットパターンの画像を撮影する電子ペン１０Ａによって行われる。
【００３４】
[ 電子ペン ]
次に電子ペン１０Ａについて説明する。図２に示すように、電子ペン１０Ａは、その内部にプロセッサ１１、データ通信ユニット１３、バッテリー１４、ＬＥＤ１５、カメラ１６、圧力センサ１８及びクロック２２を備える。また、電子ペン１０Ａは通常のインクペンと同様の構成要素としてインクカートリッジ（図示せず）などを有する。
【００３５】
ＬＥＤ１５は、電子ペン１０Ａのペン先付近に取り付けられており、専用ペーパー２０上のペン先部１７近傍（領域１５ａ）に向けて、赤外線を照明する（図１参照）。領域１５ａは、ペン先部１７が専用ペーパー２０に接触する位置とはわずかにずれている。カメラ１６は、ＬＥＤ１５によって照明された領域１５ａ内におけるドットパターンを撮影し、そのドットパターンの画像データをプロセッサ１１に供給する。ここで、カーボンは赤外線を吸収するため、ＬＥＤ１５によって照射された赤外線は、ドットの部分でドットに含まれるカーボンによって吸収される。そのため、ドットの部分は、赤外線の反射量が少なく、ドット以外の部分は赤外線の反射量が多い。したがって、カメラ１６の撮影により、赤外線の反射量の違いから、カーボンを含むドットの領域とそれ以外の領域を区別することができる。たとえ撮影領域に罫線や枠などが印刷されてあったとしても、罫線や枠などのインクには、カーボンが含まれていないため、ドットパターンを認識することができる。なお、カメラ１６による撮影領域は、図４（ａ）に示すような約２mm×約２mmの大きさを含む範囲であり、カメラ１６の撮影は、毎秒５０〜１００回程度行われる。
【００３６】
バッテリー１４は電子ペン１０Ａ内の各部品に電力を供給するためのものであり、例えば電子ペン１０Ａのキャップ（図示せず）の脱着により電子ペン１０Ａ自体の電源のオン／オフを行うよう構成させてもよい。クロック２２は、現在時刻（タイムスタンプ）を発信し、プロセッサ１１に供給する。圧力センサ１８は、利用者が電子ペン１０Ａにより専用ペーパー２０上に文字などを書く際にペン先部１７に与えられる圧力、即ち筆圧を検出し、プロセッサ１１へ供給する。
【００３７】
プロセッサ１１は、圧力センサ１８から与えられる筆圧データに基づいて、ＬＥＤ１５及びカメラ１６のスイッチオン／オフの切換を行う。即ち、利用者が電子ペン１０Ａで専用ペーパー２０上に文字などを書くと、ペン先部１７には筆圧がかかり、圧力センサ１８によって所定値以上の筆圧が検出されたときに、プロセッサ１１は、利用者が記入を開始したと判定して、ＬＥＤ１５及びカメラ１６を作動させる。
【００３８】
プロセッサ１１は、利用者の記入が行われる間、カメラ１６によって供給される画像データのドットパターンから、利用者が記入するストロークの専用ペーパー２０上でのＸ，Ｙ座標（単に「座標データ」とも呼ぶ）を連続的に算出していく。すなわち、プロセッサ１１は、カメラ１６によって供給される、図４（ａ）に示されるようなドットパターンの画像データを図４（ｂ）に示すデータ配列に変換し、さらに、Ｘ座標ビット値・Ｙ座標ビット値に変換して、そのデータ配列から所定の演算方法によりＸ，Ｙ座標データを算出する。そしてプロセッサ１１は、現在時刻（タイムスタンプ）を発信するクロック２２から時間情報を取得し、その時間情報と、筆圧データ及びＸ，Ｙ座標データとを関連付け、これらの情報を記入情報として、データ通信ユニット１３に対して、端末装置２５Ａへ送信させる。ここで、一枚の専用ペーパー（電子ペン用媒体）２０内の６×６のドットパターンは、その専用ペーパー２０内で重複することはないため、利用者が電子ペン１０Ａでユーザエリアに必要事項を記入したりタップしたりすると、その記入やタップが専用ペーパー２０のどのユーザエリアに対応するものであるかを、座標データから特定することができる。
【００３９】
データ通信ユニット１３は、プロセッサ１１から時間情報、筆圧データ、Ｘ，Ｙ座標データを記入情報として受けると、端末装置２５Ａへ無線送信する。データ通信ユニット１３による送信は、Bluetooth（登録商標）の無線送信によると好適である。なお、ＵＳＢケーブルを使用した有線送信、端子などの接触によるデータ送信など、他の方法によって、データ通信ユニット１３から端末装置２５Ａへデータ送信を行ってもよい。データ通信ユニット１３による端末装置２５Ａへの記入情報の送信は、即時的且つ逐次的に行われる。
【００４０】
[ 端末装置 ]
次に、端末装置２５Ａについて図６を参照して説明する。端末装置２５Ａは、ハードウェアとして、電子ペン１０Ａとのデータ通信が可能なアンテナ装置、ＣＰＵ等のプロセッサ、ＲＯＭやＲＡＭといったメモリ、スピーカ、ディスプレイ等で構成される、ＰＣや携帯電話、或いは携帯端末である。図６は、端末装置２５Ａの機能ブロック図である。端末装置２５Ａは、電子ペン１０Ａから取得したＸ，Ｙ座標データ等の記入情報に基づいて、専用アプリケーションを実行することで所定の処理を行う。
【００４１】
図６に示すように、端末装置２５Ａは、情報記憶手段６０、記入情報取得手段６１、開始終了点特定手段６２、エリア特定手段６３、メッセージ記入情報特定手段６４、画像データ作成手段６５、テキストデータ作成手段６６、送信先アドレス特定手段６７、タップ回数検出手段６８、音声データ抽出手段６９、音声出力手段７０、決定判定手段７１、タップ回数確定手段７２、送信方法特定手段７３、送信手段７４及び音声出力部７５を備える。物理的には、情報記憶手段６０は、ＲＯＭやＲＡＭといったメモリによって構成され、記入情報取得手段６１は、データ通信ユニット、プロセッサ等によって構成され、音声出力部７５はスピーカ等で構成される。開始終了点特定手段６２、エリア特定手段６３、メッセージ記入情報特定手段６４、画像データ作成手段６５、テキストデータ作成手段６６、送信先アドレス特定手段６７、タップ回数検出手段６８、音声データ抽出手段６９、音声出力手段７０、決定判定手段７１、タップ回数確定手段７２、送信方法特定手段７３、送信手段７４は、ＣＰＵ等のプロセッサに組み込まれている。
【００４２】
情報記憶手段６０は、ユーザエリアと、ドットパターン上におけるユーザエリアの位置を示す座標データとを対応付けて座標定義情報として記憶するメモリである。
【００４３】
すなわち、図７に示すように、情報記憶手段６０には、専用ペーパー２０のユーザエリアを識別するエリアＩＤと、ユーザエリアの名称であるエリア名と、ユーザエリアの位置座標領域を表す座標データとを対応付けた座標定義情報が記憶されている。エリアＩＤ「Ａ０１」に関連してエリア名「自由記入エリア」が記憶され、エリアＩＤ「Ａ０２」に関連してエリア名「アドレス記入エリア」が記憶されている。また、エリアＩＤ「Ａ０３」に関連してエリア名「選択エリア」が記憶されている。各ユーザエリアの座標データを構成するデータ(xn,yn)、Hn、Wnは、図８に示すように、それぞれ、ドットパターン上におけるユーザエリアの頂点Ｖ(xn,yn)の座標、Ｙ軸方向の高さ(Height)、Ｘ軸方向の幅(Width)を意味する。
【００４４】
さらに、情報記憶手段６０は、ユーザエリアへのタップ回数と、音声データ及び送信方法とを対応付けて方法定義情報として記憶するメモリである。
【００４５】
すなわち、図９に示すように、ユーザエリアを識別するエリアＩＤと、利用者が行うタップ回数と、音声データと、自由記入エリア５１に記入されたメッセージの送信方法とを対応付けた方法定義情報が記憶されている。本実施形態において、利用者によりタップされるユーザエリアは選択エリア５３である。図示のように、エリアＩＤ「Ａ０３」である選択エリア５３のタップ回数「１」に対しては、送信方法「ＦＡＸ送信」と、送信方法が「ＦＡＸ送信」であることを説明する音声データＡ（「ＦＡＸで送信しますがよろしいでしょうか？」）が関連付けられ、同じエリアＩＤ「Ａ０３」である選択エリア５３のタップ回数「２」に対しては、送信方法「メール送信」と、送信方法が「メール送信」であることを説明する音声データＢ（「メールで送信しますがよろしいでしょうか？」）が関連付けられて記憶されている。また、同じエリアＩＤ「Ａ０３」である選択エリア５３のタップ回数「３」に対しては、送信方法「ＳＭＳ送信」と、送信方法が「ＳＭＳ送信」であることを説明する音声データＣ（「ＳＭＳで送信しますがよろしいでしょうか？」）が関連付けられて記憶されている。これらの音声データＡ乃至音声データＣは、音声出力部７５によって音声出力可能な音声データである。
【００４６】
なお、情報記憶手段６０は、記入情報取得手段６１によって取得された記入情報を記憶するとともに、タップ回数検出手段６８によって検出されたタップ回数及びタップ時刻を一時記憶する。
【００４７】
記入情報取得手段６１は、電子ペン１０Ａのデータ通信ユニット１３によって送信される専用ペーパー２０への記入内容に対応する記入情報を即時的且つ逐次的に取得する手段であり、Bluetooth（登録商標）による通信方式の電波を受信するアンテナ等により構成される。記入情報には、タップ、文字、記号、絵柄等を記入する際に取得する情報が含まれる。特に、タップにより取得される記入情報をタップ情報と呼ぶ。また、タップ情報に含まれる時間情報をタップ時刻と呼ぶ。
【００４８】
開始終了点特定手段６２は、記入情報取得手段６１が取得した記入情報に含まれるストロークのデータ開始点及びデータ終了点を特定する。具体的には、開始終了点特定手段６２は、データ開始点及びデータ終了点それぞれの位置座標を示す座標データと記入時刻とを特定する。
【００４９】
エリア特定手段６３は、記入情報に含まれる座標データに基づいて、情報記憶手段６０が記憶した座標定義情報（図７参照）を参照することにより、対応するユーザエリアを特定する。即ち、エリア特定手段６３は、電子ペン１０Ａを使用して記入又はタップされたユーザエリアが、自由記入エリア５１、アドレス記入エリア５２及び選択エリア５３のいずれであるかを特定する。このとき、ユーザエリア特定手段６３は、１つのストロークのデータ開始点及びデータ終了点の双方が含まれるユーザエリアのみを特定するようにするとよい。そのような設定にすれば、利用者が専用ペーパー２０に記入したストロークのデータ開始点及びデータ終了点のいずれかがユーザエリアの範囲外にある場合には、利用者が特定のユーザエリアに記入又はタップしたものではないと判定することができる。
【００５０】
メッセージ記入情報特定手段６４は、エリア特定手段６３により自由記入エリア５１に対応すると特定された記入情報をメッセージ記入情報であると特定する。
【００５１】
画像データ作成手段６５は、メッセージ記入情報特定手段６４により特定されたメッセージ記入情報に基づいて、電子ペン１０Ａを使用して自由記入エリア５１に記入されたメッセージを表す画像データを作成する。
【００５２】
テキストデータ作成手段６６は、メッセージ記入情報特定手段６４により特定されたメッセージ記入情報に基づいて、ＨＷＲやＯＣＲ等による文字認識処理を実行することにより、電子ペン１０Ａを使用して自由記入エリア５１に記入されたメッセージを表すテキストデータを作成する。
【００５３】
送信先アドレス特定手段６７は、エリア特定手段６３によりアドレス記入エリア５２に対応すると特定された記入情報に基づいて、ＨＷＲやＯＣＲ等による文字認識処理を実行することにより、電子ペン１０Ａを使用してアドレス記入エリア５２に記入されたアドレスを特定する。
【００５４】
タップ回数検出手段６８は、エリア特定手段６３により選択エリア５３に対応すると特定された記入情報と、開始終了点特定手段６２によって特定されたデータ開始点及びデータ終了点における時間及び／又は両点間の移動距離とに基づいて、利用者によって記入されたストロークがタップであるか否かを判定し、選択エリア５３においてタップされた回数（タップ回数）をカウントして検出する。カウントしたタップ回数及びタップ時刻は、対応付けて情報記憶手段６０に一時記憶される。このとき、タップ回数検出手段６８は、選択エリア５３に対応付けて情報記憶手段６０に記憶されているタップ回数があるか否か確認して、なければタップ回数の初期値を「０」とし、選択エリア５３へのタップ回数分だけ「１」を加算してカウントアップする。
【００５５】
既に、情報記憶手段６０上において選択エリア５３に対応付けてタップ回数が記憶されている場合、タップ回数検出手段６８は、新たにタップされた時刻（今回タップ時刻）が、選択エリア５３に対する最後にタップされた時刻（前回タップ時刻）として情報記憶手段６０に記憶されているタップ時刻から、予め設定された所定読取時間（例えば３分）以上経過しているか否かを時刻の差分を算出して判定する。判定の結果、所定読取時間以上経過している場合、タップ回数検出手段６８は、選択エリア５３に対応付けて情報記憶手段６０上に記憶されたタップ回数を初期値「０」とし、カウントをリセットした上で、当該ユーザエリアへのタップ回数分だけ「１」を加算することでカウントアップする。その一方、前回タップ時刻と今回タップ時刻との差分が所定読取時間を超過していない場合には、タップ回数検出手段６８は、情報記憶手段６０に記憶されているタップ回数に、当該ユーザエリアへのタップ回数分だけ「１」を加算してカウントアップする。
【００５６】
そして、認識したユーザエリアに対応付けてカウントしたタップ回数及びタップ時刻を情報記憶手段６０に一時記憶する。即ち、情報記憶手段６０に記憶されたタップ回数は、対応するユーザエリアへのタップが認識される度に更新される。これによれば、利用者の記入したストロークが、タップであるか否か判定され、文字や図柄とは区別されるとともに、タップ回数は、所定読取時間を基準としてカウントがリセットされるため、所定読取時間よりも間隔のあいたタップ同士は、タップ回数としては別々にカウントされ、タップ回数を的確にカウントすることができる。これにより、利用者が後刻もう１度タップにより送信方法を選択することで音声データを端末装置２５Ａから出力させようと意図した際に、最初に出力したときと同じ順番で音声データを出力させることができる。
【００５７】
具体的には、利用者によって記入されたストロークがタップであるか否かを判定するにあたっては、第１の方法として、タップ回数検出手段６８は、データ終了点の記入時刻とデータ開始点の記入時刻の差分を算出し、当該差分が予め設定された所定時間（例えば、０．２秒）未満である場合にストロークがタップであると判定する。別の第２の方法として、タップ回数検出手段６８は、座標データに基づいてデータ開始点とデータ終了点との間の移動距離（筆記された線の長さ）を算出し、当該移動距離が予め設定された所定距離未満である場合にストロークがタップであると判定するようにしてもよい。あるいは第３の方法として、データ開始点とデータ終了点における時間及び移動距離の両方に条件を付けて、ストロークがタップであるか否かを判定するようにしてもよい。
【００５８】
音声データ抽出手段６９は、タップ回数検出手段６８が検出したタップ回数が変化する度に、変化後のタップ回数に基づいて、情報記憶手段６０が記憶した方法定義情報（図９参照）から対応する音声データを抽出する。つまり、音声データ抽出手段６９は、タップ回数検出手段６８により選択エリア５３へのタップ回数がカウントアップされる度に、当該タップ回数に基づいて方法定義情報から音声データを抽出する。
【００５９】
音声出力手段７０は、音声データ抽出手段６９によって抽出された音声データを音声出力部７５に再生出力させる。つまり、音声出力手段７０は、タップ回数検出手段６８により選択エリア５３へのタップ回数がカウントアップされる度に、音声データ抽出手段６９が抽出した音声データを音声出力部７５に再生出力させる。
【００６０】
決定判定手段７１は、エリア特定手段６３により選択エリア５３に対応すると特定された記入情報に基づいて、ＨＷＲやＯＣＲ等による文字認識処理を実行することにより、電子ペン１０Ａを使用して選択エリア５３に送信方法の決定を示す記号が記入されたか否かを判定する。利用者は、電子ペン１０Ａを使用して選択エリア５３をタップして音声データを再生出力させることで、音声により送信方法を確認し、送信方法を決定すると選択エリア５３に送信方法の決定を示す記号を記入する。本実施形態において送信方法の決定を示す記号は丸印（○）とするが、本発明はこれに限定されるものではなく、任意に設定することができる。
【００６１】
タップ回数確定手段７２は、決定判定手段７１により送信方法の決定を示す記号が記入されたと判定された場合に、その時点においてタップ回数検出手段６８が検出したタップ回数、即ち情報記憶手段６０に記憶されているタップ回数を確定とする。
【００６２】
送信方法特定手段７３は、タップ回数確定手段７２により確定されたタップ回数に基づいて、情報記憶手段６０が記憶した方法定義情報から対応する送信方法を特定する。
【００６３】
送信手段７４は、画像データ作成手段６５が作成した画像データ又はテキストデータ作成手段６６が作成したテキストデータを、送信先アドレス特定手段６７が特定したアドレスに基づいて、送信方法特定手段７３が特定した送信方法により送信する。
【００６４】
端末装置２５Ａは、専用アプリケーションがインストールされることにより、上述の各手段が構成される。
【００６５】
[ 専用アプリケーション ]
次に、専用アプリケーション５０について図１０を参照して説明する。図１０は、専用アプリケーション５０のモジュール構成を示す。専用アプリケーション５０は、電子ペン１０Ａが専用ペーパー２０に記入した内容に対応するデジタルデータである記入情報に基づいて所定の処理を実行するものであって、ダウンロード等により予め端末装置２５Ａにインストールされている。専用アプリケーションは、原則として専用ペーパー２０に対応付けられている。つまり、専用ペーパー２０の種類が異なれば、その種類に応じて各専用ペーパー２０に記入されたデータを処理する専用アプリケーションは異なる。しかし、専用ペーパー２０と専用アプリケーションの対応は必ずしも１対１である必要はなく、複数種類の専用ペーパー２０に１つの専用アプリケーションを対応付けてデータを処理させてもよい。また、１種類の専用ペーパー２０に複数の専用アプリケーションを対応付けてデータを処理させてもよい。
【００６６】
図１０に示すように、専用アプリケーション５０は、情報記憶モジュール１０１、記入情報取得モジュール１０２、開始終了点特定モジュール１０３、エリア特定モジュール１０４、メッセージ記入情報特定モジュール１０５、画像データ作成モジュール１０６、テキストデータ作成モジュール１０７、送信先アドレス特定モジュール１０８、タップ回数検出モジュール１０９、音声データ抽出モジュール１１０、音声出力モジュール１１１、決定判定モジュール１１２、タップ回数確定モジュール１１３、送信方法特定モジュール１１４及び送信モジュール１１５を有する。
【００６７】
情報記憶モジュール１０１は、情報記憶手段６０に対して、図７及び図９に示すようにユーザエリアのエリアＩＤ、ユーザエリアの座標データ、タップ回数、音声データ及び送信方法を関連付けて記憶させるモジュールである。また、情報記憶モジュール１０１は、情報記憶手段６０に対して、記入情報取得モジュール１０２が取得した記入情報を記憶させる機能を有する。
【００６８】
記入情報取得モジュール１０２は、記入情報取得手段６１を用いて、専用ペーパー２０への電子ペン１０Ａによる記入に対応する記入情報（タップ情報を含む）を取得する機能を有する。
【００６９】
開始終了点特定モジュール１０３は、記入情報取得モジュール１０２の実行によって取得された記入情報に含まれるストロークのデータ開始点及びデータ終了点につき、それぞれの座標データ及び記入時刻を特定する機能を有する。
【００７０】
エリア特定モジュール１０４は、記入情報に含まれる座標データと、情報記憶モジュール１０１によって記憶される各ユーザエリアの座標データとを参照して、記入情報に対応するユーザエリアを特定する機能を有する。なお、エリア特定モジュール１０４は、１つのストロークデータのデータ開始点及びデータ終了点の双方が含まれるユーザエリアのみを特定するようにするとよい。
【００７１】
メッセージ記入情報特定モジュール１０５は、エリア特定モジュール１０４によって自由記入エリア５１に対応すると特定された記入情報をメッセージ記入情報であると特定する機能を有する。
【００７２】
画像データ作成モジュール１０６は、メッセージ記入情報特定モジュール１０５によって特定されたメッセージ記入情報に基づいて、自由記入エリア５１に記入されたメッセージを表す画像データを作成する機能を有する。
【００７３】
テキストデータ作成モジュール１０７は、メッセージ記入情報特定モジュール１０５によって特定されたメッセージ記入情報に基づいて、ＨＷＲやＯＣＲ等による文字認識処理を実行することにより、自由記入エリア５１に記入されたメッセージを表すテキストデータを作成する機能を有する。
【００７４】
送信先アドレス特定モジュール１０８は、エリア特定モジュール１０４によってアドレス記入エリア５２に対応すると特定された記入情報に基づいて、ＨＷＲやＯＣＲ等による文字認識処理を実行することにより、アドレス記入エリア５２に記入されたアドレスを特定する機能を有する。
【００７５】
タップ回数検出モジュール１０９は、エリア特定モジュール１０４によって選択エリア５３に対応すると特定された記入情報と、開始終了点特定モジュール１０３によって特定されたデータ開始点及びデータ終了点における時間及び／又は両点間の移動距離とに基づいて、利用者によって記入されたストロークがタップであるか否かを判定し、選択エリア５３におけるタップ回数をカウントして検出する機能を有する。タップ回数検出モジュール１０９は、選択エリア５３と、選択エリア５３へのタップ回数とを対応付けて一時的に情報記憶手段６０に記憶する。記入情報がタップ情報であるか否かの判定方法としては、上述のように、データ開始点の記入時刻からデータ終了点の記入時刻までの時間が予め設定された所定時間未満である場合にストロークがタップであると判定する方法（第１の方法）と、データ開始点とデータ終了点との間の移動距離が予め設定された所定距離未満である場合にストロークがタップであると判定する方法（第２の方法）とのいずれを採用してもよく、また、データ開始点とデータ終了点の時間及び両点間の移動距離の両方に条件を設定してもよい（第３の方法）。
【００７６】
音声データ抽出モジュール１１０は、タップ回数検出モジュール１０９によって検出されたタップ回数が変化する度に、変化後のタップ回数に基づいて、情報記憶モジュール１０１によって記憶された方法定義情報（図９参照）から対応する音声データを抽出する機能を有する。つまり、音声データ抽出モジュール１１０は、タップ回数検出モジュール１０９によって選択エリア５３へのタップ回数がカウントアップされる度に、当該タップ回数に基づいて方法定義情報から音声データを抽出する。
【００７７】
音声出力モジュール１１１は、音声データ抽出モジュール１１０によって抽出された音声データを音声出力部７５に再生出力させる機能を有する。つまり、音声出力モジュール１１１は、タップ回数検出モジュール１０９により選択エリア５３へのタップ回数がカウントアップされる度に、音声データ抽出モジュール１１０によって抽出された音声データを音声出力部７５に再生出力させる。
【００７８】
決定判定モジュール１１２は、エリア特定モジュール１０４によって選択エリア５３に対応すると特定された記入情報に基づいて、ＨＷＲやＯＣＲ等による文字認識処理を実行することにより、選択エリア５３に送信方法の決定を示す記号が記入されたか否かを判定する機能を有する。
【００７９】
タップ回数確定モジュール１１３は、決定判定モジュール１１２によって送信方法の決定を示す記号が記入されたと判定された場合に、その時点においてタップ回数検出手段６８が検出したタップ回数、即ち情報記憶モジュール１０１によって記憶されているタップ回数を確定とする機能を有する。
【００８０】
送信方法特定モジュール１１４は、タップ回数確定モジュール１１３によって確定されたタップ回数に基づいて、情報記憶モジュール１０１によって記憶された方法定義情報から対応する送信方法を特定する機能を有する。
【００８１】
送信モジュール１１５は、送信方法特定モジュール１１４によって特定された送信方法により、画像データ作成モジュール１０６によって作成された画像データ又はテキストデータ作成モジュール１０７によって作成されたテキストデータを、送信先アドレス特定モジュール１０８によって特定されたアドレスに基づいて送信する機能を有する。
【００８２】
[ 本情報処理システムによる送信処理フロー ]
次に、本第１実施形態の情報処理システムにより行われる送信処理フローについて図１１及び図１２を参照して説明する。図１１は、本第１実施形態における専用ペーパー２０上の電子ペン１０Ａの使用形態を示す図である。図１２は、端末装置２５Ａにおける送信処理のフローチャートである。
【００８３】
なお、送信処理において、メッセージは画像データの形式で送信されるものとする。しかし、本発明はこれに限定されるものではなく、メッセージを画像データの形式で送信するか、テキストデータの形式で送信するかは任意に設定することが可能である。
【００８４】
利用者は、まず、電子ペン１０Ａを使用して、専用ペーパー２０の自由記入エリア５１にメッセージを自由に記入する。すると、電子ペン１０Ａは、自由記入エリア５１への記入に対応する座標データ、時間情報及び筆圧データを記入情報として端末装置２５Ａへ送信する。
【００８５】
続いて、利用者は、電子ペン１０Ａを使用して、専用ペーパー２０のアドレス記入エリア５２にメッセージの送信先である第三者のＦＡＸ番号やメールアドレス、即ち送信先の端末装置を特定するアドレスを記入する。すると、電子ペン１０Ａは、アドレス記入エリア５２への記入に対応する座標データ、時間情報及び筆圧データを記入情報として端末装置２５Ａへ送信する。
【００８６】
そして、利用者は、電子ペン１０Ａのペン先部１７により、専用ペーパー２０の選択エリア５３をタップする（図１１参照。★マークはタップを表す。）。すると、電子ペン１０Ａは、選択エリア５３へのタップに対応する座標データ、時間情報及び筆圧データを記入情報（タップ情報）として端末装置２５Ａへ送信する。また、利用者は、選択エリア５３へのタップにより送信方法を選択すると、最後に当該選択エリア５３へ送信方法の決定を示す記号（丸印）を記入する。すると、電子ペン１０Ａは、選択エリア５３への記入に対応する座標データ、時間情報及び筆圧データを記入情報として端末装置２５Ａへ送信する。
【００８７】
端末装置２５Ａの記入情報取得手段６１は、電子ペン１０Ａから即時的且つ逐次的に記入情報（タップ情報）を取得する（ステップＳ１）。ここで、即時的とは、電子ペン１０ＡがＸ，Ｙ座標データ等の記入情報を取得すると、その記入情報は即座に端末装置２５Ａへ送信され、端末装置２５Ａによって取得されることを意味し、また、逐次的とは、電子ペン１０ＡがＸ，Ｙ座標データ等の記入情報を連続的に取得している間、その記入情報は、次々に端末装置２５Ａへ送信され、端末装置２５Ａによって取得されることを意味している。
【００８８】
続いて、開始終了点特定手段６２は、記入情報取得手段６１によって取得された記入情報（タップ情報）に含まれるストロークのデータ開始点及びデータ終了点を特定し、そのデータ開始点及びデータ終了点における座標データ及び記入時刻を特定する。
【００８９】
次に、エリア特定手段６３は、記入情報（タップ情報）に含まれる座標データに基づいて、情報記憶手段６０が記憶した座標定義情報を参照することで、対応するユーザエリアを特定する（ステップＳ２）。続いて、エリア特定手段６３は、特定したユーザエリアが自由記入エリア５１であるか否かを判定する（ステップＳ３）。特定したユーザエリアが自由記入エリア５１であると判定された場合（ステップＳ３；Ｙｅｓ）、画像データ作成手段６５は、自由記入エリア５１に対応すると特定された記入情報に基づいて、自由記入エリア５１に記入されたメッセージを表す画像データを作成する（ステップＳ４）。
【００９０】
一方、特定したユーザエリアが自由記入エリア５１ではないと判定された場合（ステップＳ３；Ｎｏ）、エリア特定手段６３は、特定したユーザエリアがアドレス記入エリア５２であるか否かを判定する（ステップＳ５）。特定したユーザエリアがアドレス記入エリア５２であると判定された場合（ステップＳ５；Ｙｅｓ）、送信先アドレス特定手段６７は、アドレス記入エリア５２に対応すると特定された記入情報に基づいて、ＨＷＲやＯＣＲ等による文字認識処理を実行することにより、アドレス記入エリア５２に記入されたアドレスを特定する（ステップＳ６）。
【００９１】
一方、特定したユーザエリアがアドレス記入エリア５２ではないと判定された場合（ステップＳ５；Ｎｏ）、エリア特定手段６３は、特定したユーザエリアが選択エリア５３であるか否かを判定する（ステップＳ７）。特定したユーザエリアが選択エリア５３であると判定された場合（ステップＳ７；Ｙｅｓ）、タップ回数検出手段６８は、選択エリア５３に対応すると特定された記入情報と、開始終了点特定手段６２により特定されたデータ開始点及びデータ終了点における時間及び／又は両点間の移動距離とに基づいて、利用者によって記入されたストロークがタップであるか否かを判定し、選択エリア５３においてタップされた回数（タップ回数）をカウントして検出する（ステップＳ８）。具体的に、タップ回数検出手段６８は、エリア特定手段６３が特定した選択エリア５３のユーザエリア（エリアＩＤ「Ａ０３」）と、選択エリア５３へのタップ回数及びタップ時刻とを対応付けて一時的に情報記憶手段６０に記憶する。このとき、タップ回数検出手段６８は、選択エリア５３に対応付けて情報記憶手段６０に記憶されているタップ回数があるか否かを確認して、なければタップ回数の初期値を「０」とし、選択エリア５３へのタップ回数分だけ「１」を加算してカウントアップする。
【００９２】
既に、情報記憶手段６０上において選択エリア５３に対応付けてタップ回数が記憶されている場合、タップ回数検出手段６８は、情報記憶手段６０に記憶されているタップ時刻（前回タップ時刻）と今回のタップ時刻（今回タップ時刻）との差分を算出し、差分が所定読取時間を超過しているか否かを判定する。判定の結果、所定読取時間（例えば３分）を超過している場合、タップ回数検出手段６８は、選択エリア５３に対応付けて情報記憶手段６０上に記憶されたタップ回数を初期値「０」とし、カウントをリセットした上で、当該選択エリア５３へのタップ回数分だけ「１」を加算することでカウントアップする。その一方、前回タップ時刻と今回タップ時刻との差分が所定読取時間を超過していない場合には、タップ回数検出手段６８は、情報記憶手段６０に記憶されているタップ回数に、当該ユーザエリアへのタップ回数分だけ「１」を加算してカウントアップする。そして、エリアＩＤ「Ａ０３」に対応付けてカウントしたタップ回数及び今回のタップ時刻を情報記憶手段６０に一時記憶させる。
【００９３】
なお、タップ回数検出手段６８は、データ開始点及びデータ終了点の座標データから算出される両点間の移動距離（筆記された線の長さ）に基づいて、電子ペン用媒体に記入されたストロークがタップであるか否かを判定してもよい。
【００９４】
音声データ抽出手段６９は、タップ回数検出手段６８が検出したタップ回数が変化する度に、変化後のタップ回数に基づいて、情報記憶手段６０が記憶した方法定義情報から対応する音声データを抽出する。つまり、音声データ抽出手段６９は、タップ回数検出手段６８により選択エリア５３へのタップ回数がカウントアップされる度に、当該タップ回数に基づいて方法定義情報から音声データを抽出する。続いて、音声出力手段７０は、音声データ抽出手段６９によって抽出された音声データを音声出力部７５に再生出力させる。つまり、音声出力手段７０は、タップ回数検出手段６８により選択エリア５３へのタップ回数がカウントアップされる度に、音声データ抽出手段６９が抽出した音声データに基づいて、送信方法に関する音声を音声出力部７５から出力する（ステップＳ９）。
【００９５】
例えば、エリアＩＤ「Ａ０３」の選択エリア５３に対応付けられたタップ回数が「１」に変化した場合、音声データ抽出手段６９は、図９に示すように、選択エリア５３のエリアＩＤ「Ａ０３」のタップ回数１回に対応する音声データＡを抽出する。続いて、音声出力手段７０は、送信方法が「ＦＡＸ送信」であることを説明する音声データＡ（「ＦＡＸで送信しますがよろしいでしょうか？」）を音声出力部７５に音声出力させる。さらに、利用者が同じ選択エリア５３をもう１回タップすると、タップ回数検出手段６８によってカウントアップされて情報記憶手段６０に一時記憶されるタップ回数が「２」となる。このように選択エリア５３に対応付けられたタップ回数が「１」から「２」へ変化すると、音声データ抽出手段６９は、図９に示すように、選択エリア５３のＩＤ「Ａ０３」のタップ回数２回に対応する音声データＢを抽出する。続いて、音声出力手段７０は、送信方法が「メール送信」であることを説明する音声データＢ（「メールで送信しますがよろしいでしょうか？」）を音声出力部７５に音声出力させる。このように、利用者が同じ選択エリア５３を複数回タップすると、タップ回数検出手段６８によってタップ回数がカウントアップされ、音声データ抽出手段６９は当該選択エリア５３及びタップ回数に対応する音声データを抽出し、音声出力部７５に音声出力させる。
【００９６】
さらに、決定判定手段７１は、エリア特定手段６３により選択エリア５３に対応すると特定された記入情報に基づいて、ＨＷＲやＯＣＲ等による文字認識処理を実行することにより、電子ペン１０Ａを使用して選択エリア５３に送信方法の決定を示す記号（丸印）が記入されたか否かを判定する（ステップＳ１０）。送信方法の決定を示す記号（丸印）が記入されていないと判定した場合（ステップＳ１０；Ｎｏ）、決定判定手段７１は、文字認識処理の認識ミスであるか否かを判定する（ステップＳ１５）。認識ミスであると判定した場合（ステップＳ１５；Ｙｅｓ）、決定判定手段７１は、エラーメッセージに対応する音声データを音声出力部７５に再生出力させる（ステップＳ１６）。なお、エラーメッセージに対応する音声データは、情報記憶手段６０に記憶されているものとする。一方、認識ミスではないと判定した場合（ステップＳ１５；Ｎｏ）、決定判定手段７１は、ステップＳ１の処理に戻る。
【００９７】
送信方法の決定を示す記号（丸印）が記入されたと判定した場合（ステップＳ１０；Ｙｅｓ）、タップ回数確定手段７２は、その時点においてタップ回数検出手段６８が検出したタップ回数、即ち情報記憶手段６０に記憶されているタップ回数を確定とする。続いて、送信方法特定手段７３は、タップ回数確定手段７２により確定されたタップ回数に基づいて、情報記憶手段６０が記憶した方法定義情報から対応する送信方法を特定する（ステップＳ１１）。そして、送信手段７４は、送信方法特定手段７３が特定した送信方法により、画像データ作成手段６５が作成した画像データを、送信先アドレス特定手段６７が特定したアドレスに基づいて送信する（ステップＳ１２）。
【００９８】
例えば、送信方法の決定を示す記号（丸印）が記入された時点において、情報記憶手段６０に記憶されているタップ回数が「２」回である場合、タップ回数確定手段７２は、タップ回数を「２」回に確定する。続いて、送信方法特定手段７３は、図９に示すように、タップ回数確定手段７２により確定されたタップ回数「２」回に対応する送信方法「メール送信」を特定する。そして、送信手段７４は、送信先アドレス特定手段６７が特定したアドレスに基づいて、画像データ作成手段６５が作成した画像データをｅメールに添付して送信する。
【００９９】
送信手段７４は、画像データ作成手段６５が作成した画像データを正常に送信できたか否かを判定する（ステップＳ１３）。正常に送信できなかったと判定した場合（ステップＳ１３；Ｎｏ）、送信手段７４は、ステップＳ１２の処理を再度実行する。一方、正常に送信できたと判定した場合（ステップＳ１３；Ｙｅｓ）、送信手段７４は、送信完了メッセージに対応する音声データを音声出力部７５に再生出力させる。なお、送信完了メッセージに対応する音声データは、情報記憶手段６０に記憶されているものとする。これにより、送信処理は完了する。
【０１００】
このように、利用者は、音声出力部７５によって再生出力される音声により、選択エリア５３へのタップ回数に応じた送信方法を確認することができる。さらに、利用者は、タップにより送信方法を選択した後、送信方法の決定を示す記号（丸印）を記入することで、任意の送信方法によって、自身が記入したアドレスへ任意のメッセージを送信することができる。
【０１０１】
[本情報処理システムによる作用効果]
この情報処理システムによれば、電子ペン１０Ａにより選択エリア５３をタップする回数に応じて送信方法を選択することができると共に、各選択方法を説明する音声を出力することができる。そのため、端末装置２５は、１つのユーザエリアに基づいて複数の送信方法から任意の方法を選択し、利用者が記入したメッセージを容易に送信することができる。換言すると、専用ペーパー２０上におけるユーザエリアのスペースを節約することができ、利用者はより自由にメッセージを記入することができる。よって、利用者は、電子ペン１０Ａと専用ペーパー２０を利用して、選択エリア５３へのタップによって選択した送信方法により、自身が記入したアドレスに基づいて任意のメッセージを送信することが可能となる。
【０１０２】
なお、上記第１実施形態は次のように構成させて変更することもできる。
【０１０３】
例えば、情報記憶手段６０は、座標定義情報（図７参照）と方法定義情報（図９参照）とを分けて記憶しているが、ユーザエリアのエリアＩＤに対して、ユーザエリアの座標データ、タップ回数、音声データ、送信方法をまとめて関連付けて記憶させるようにしてもよく、これらの情報のデータ構造は任意に設定することができる。
【０１０４】
また、上記第１実施形態では、電子ペン１０Ａのクロック２２は現在時刻を発信することとしているが（図２参照）、クロック２２は、端末装置２５Ａとの通信接続が確立した時点から通信接続状態が終了するまでの間、０から始まりストロークの記入中に経過していく記入時間を発信することとしてもよい。この場合、プロセッサ１１は、ストロークの記入中に、クロック２２が発信する経過時間（記入時間）を時間情報として取得し、その時間情報と、筆圧データと、Ｘ，Ｙ座標データとを関連付け、データ通信ユニット１３に対して記入情報として端末装置２５Ａへ送信させる。
【０１０５】
また、上記第１実施形態では、タップ回数検出手段６８は、情報記憶手段６０に記憶されているタップ時刻（前回タップ時刻）と今回タップ時刻との差分が所定読取時間を超過していると判定した場合に、情報記憶手段６０に記憶されたタップ回数を初期値「０」にリセットした上でカウントアップすることとしているが、情報記憶手段６０に一時記憶するのは前回タップ時刻ではなく、当該ユーザエリアに対する初回のタップ時刻（初回タップ時刻）として、初回タップ時刻と今回タップ時刻との差分が所定読取時間を超過しているか否かを判定するように構成してもよい。この場合、情報記憶手段６０に記憶されている初回タップ時刻から所定読取時間を経過するまでは、タップされる都度、情報記憶手段６０に記憶されているタップ回数をカウントアップすることとなり、初回タップ時刻と今回タップ時刻の差分が所定読取時間を超過した時に、情報記憶手段６０に記憶されているタップ回数を「０」にリセットして新たにカウントアップすると共に今回のタップ時刻を新たな初回タップ時刻として情報記憶手段６０に記憶されているタップ回数及びタップ時刻を更新することとなる。
【０１０６】
または、タップ回数検出手段６８は、読取時間の判定を行わず、電子ペン１０Ａの電源がオンになってからオフになるまでの間、カウントアップを続けることとしてもよい。この場合タップ回数検出手段６８は、選択エリア５３に対応付けてカウントしたタップ回数を情報記憶手段６０に一時記憶させることとし、タップ時刻を一時記憶させる必要はない。選択エリア５３に対応付けて情報記憶手段６０に一時記憶されたタップ回数は、電子ペン１０Ａの電源がオフになるとクリアされるため、電源がオンになり利用者が新たに電子ペン１０Ａを使用すると、タップ回数検出手段６８は、選択エリア５３に対応付けて情報記憶手段６０に記憶されているタップ回数があるか否か確認して、前回使用時のデータはクリアされているため、タップ回数の初期値「０」からカウントアップすることとなる。
【０１０７】
また、上記第１実施形態では、情報記憶手段６０に予め記憶されている音声データを音声出力部７５に再生出力させたが、音声データ抽出手段６９によって再生出力すべきコンテンツを抽出し、音声出力手段７０によりそのコンテンツを音声合成して、音声出力部７５に再生出力させるようにしてもよい。
【０１０８】
また、上記第１実施形態では、送信方法を「ＦＡＸ送信」、「メール送信」及び「ＳＭＳ送信」としているが、本発明はこれに限定されるものではなく、任意の送信方法を設定することができる。さらに、上記第１実施形態では、図５に示すような専用ペーパー２０を使用することとしているが、本発明はこれに限定されるものではなく、自由記入エリア５１、アドレス記入エリア５２及び選択エリア５３を有していれば、専用ペーパー２０のデザインは任意である。
【０１０９】
また、上記第１実施形態では、検出するタップ回数が変化するとその度に、それぞれのタップ回数に対応する送信方法を説明する音声を出力している。しかし、本発明はこれに限定されるものではなく、一定時間内における選択エリア５３へのタップ回数に基づいて送信方法を説明する音声を出力することとしてもよい。この場合、利用者は、予め設定された一定時間内（例えば、「３秒」等）に選択エリア５３を１回以上タップする。すると、タップ回数検出手段６８は、一定時間内のタップ回数を検出し、続いて、音声データ抽出手段６９は、検出したタップ回数に基づいて、情報記憶手段６０が記憶した方法定義情報から対応する音声データを抽出する。そして、音声出力手段７０は、音声データ抽出手段６９によって抽出された音声データを音声出力部７５に再生出力させる。
【０１１０】
また、上記第１実施形態において利用者は、送信方法を決定する場合、選択エリア５３をタップした後に当該選択エリア５３内に送信方法の決定を示す記号（丸印）を記入することとしている。しかし、本発明はこれに限定されるものではなく、選択エリア５３をタップした後に当該記号を記入する場所は、専用ペーパー２０上であればどこでもよいとすることもできる。この場合、決定判定手段７１は、いずれのユーザエリアであるかに関わらず、記入情報取得手段６１が取得した記入情報に基づいて文字認識処理を実行し、タップ回数確定手段７２は、送信方法の決定を示す記号（丸印）を認識した時点での選択エリア５３へのタップ回数を確定とする。そして、送信方法特定手段７３は、確定したタップ回数に基づいて方法定義情報を参照することにより、送信方法を特定する。
【０１１１】
また、本発明は、図１３に示すような専用ペーパー２０を使用し、利用者が送信方法を決定する場合に、専用ペーパー２０上に設けられた決定エリア５４を電子ペン１０Ａでタップすることとしてもよい。この場合、座標定義情報には、予め決定エリア５４のエリアＩＤ及び座標データが含まれており、エリア特定手段６３は、記入情報に基づいて座標定義情報を参照することで決定エリア５４がタップされたか否かを判定する。タップ回数確定手段７２は、決定エリア５４がタップされた時点での選択エリア５３へのタップ回数を確定とし、送信方法特定手段７３は、確定したタップ回数に基づいて方法定義情報を参照することにより、送信方法を特定する。
【０１１２】
＜第２実施形態＞
次に、第２実施形態について説明する。第２実施形態と第１実施形態とが同様の部分については同じ符号を付し、適宜説明を省略する。第２実施形態と第１実施形態とが異なる点は、第１実施形態の電子ペン１０Ａは、図２に示すようにクロック２２を備えていたが、第２実施形態の電子ペン１０Ｂ（１０）は、図１４に示すようにクロック２２を備えていない。この場合、プロセッサ１１は、利用者によって電子ペン１０Ｂを用いて記入が行われる間に、筆圧データ及びＸ，Ｙ座標データを取得し、それらのデータを記入情報としてデータ通信ユニット１３により端末装置２５Ｂ（２５）へ送信する。その代わり、端末装置２５Ｂは、現在時刻を発信するクロックを備えており、電子ペン１０Ｂから記入情報を取得した取得時刻を関連付けて記憶しておく。つまり、端末装置２５Ｂは、記入情報と、記入情報の取得時刻とを関連付けて記憶しておく。
【０１１３】
続いて、第２実施形態における処理フローについて説明する。図１５は、端末装置２５Ｂにおける音声出力処理のフローチャートである。
【０１１４】
利用者は、まず、電子ペン１０Ｂを使用して、専用ペーパー２０のユーザエリアのうち、自由記入エリア５１にメッセージを自由に記入する。すると、電子ペン１０Ｂは、自由記入エリア５１への記入に対応する座標データ及び筆圧データを記入情報として端末装置２５Ｂへ送信する。
【０１１５】
続いて、利用者は、電子ペン１０Ｂを使用して、専用ペーパー２０のアドレス記入エリア５２に送信先の端末装置を特定するアドレスを記入する。すると、電子ペン１０Ｂは、アドレス記入エリア５２への記入に対応する座標データ及び筆圧データを記入情報として端末装置２５Ｂへ送信する。
【０１１６】
そして、利用者は、電子ペン１０Ｂのペン先部１７により、専用ペーパー２０の選択エリア５３をタップする（図１１参照。★マークはタップを表す。）。すると、電子ペン１０Ｂは、選択エリア５３へのタップに対応する座標データ及び筆圧データを記入情報（タップ情報）として端末装置２５Ｂへ送信する。また、利用者は、選択エリア５３へのタップにより送信方法を選択すると、最後に送信方法の決定を示す記号（丸印）を記入する。すると、電子ペン１０Ｂは、選択エリア５３への記入に対応する座標データ及び筆圧データを記入情報として端末装置２５Ｂへ送信する。
【０１１７】
端末装置２５Ｂの記入情報取得手段６１は、電子ペン１０Ｂによって送信された記入情報（タップ情報）を即時的且つ逐次的に取得し、記入情報と、記入情報が取得された時に端末装置２５Ｂのクロックにより発信された現在時刻の情報とを関連付ける（ステップＳ２１）。記入時刻に関連付けされた時間情報を、取得時刻と呼ぶ。続いて、開始終了点特定手段６２は、記入情報取得手段６１によって取得された記入情報（タップ情報）に含まれるストロークのデータ開始点及びデータ終了点を特定し、そのデータ開始点及びデータ終了点における座標データ及び取得時刻（タップ）を特定する。
【０１１８】
次に、エリア特定手段６３は、記入情報（タップ情報）に含まれる座標データに基づいて、情報記憶手段６０が記憶した座標定義情報を参照することで、対応するユーザエリア（エリアＩＤ「Ａ０１」）を特定する（ステップＳ２２）。続いて、エリア特定手段６３は、特定したユーザエリアが自由記入エリア５１であるか否かを判定する（ステップＳ２３）。特定したユーザエリアが自由記入エリア５１であると判定された場合（ステップＳ２３；Ｙｅｓ）、メッセージ記入情報特定手段６４は、自由記入エリア５１に対応すると特定された記入情報に基づいて、自由記入エリア５１に記入されたメッセージを表す画像データを作成する（ステップＳ２４）。
【０１１９】
一方、特定したユーザエリアが自由記入エリア５１ではないと判定された場合（ステップＳ２３；Ｎｏ）、エリア特定手段６３は、特定したユーザエリアがアドレス記入エリア５２であるか否かを判定する（ステップＳ２５）。特定したユーザエリアがアドレス記入エリア５２であると判定された場合（ステップＳ２５；Ｙｅｓ）、送信先アドレス特定手段６７は、アドレス記入エリア５２に対応すると特定された記入情報に基づいて、ＨＷＲやＯＣＲ等による文字認識処理を実行することにより、アドレス記入エリア５２に記入されたアドレスを特定する（ステップＳ２６）。
【０１２０】
一方、特定したユーザエリアがアドレス記入エリア５２ではないと判定された場合（ステップＳ２５；Ｎｏ）、エリア特定手段６３は、特定したユーザエリアが選択エリア５３であるか否かを判定する（ステップＳ２７）。特定したユーザエリアが選択エリア５３であると判定された場合（ステップＳ２７；Ｙｅｓ）、タップ回数検出手段６８は、選択エリア５３に対応すると特定された記入情報と、開始終了点特定手段６２により特定されたデータ開始点及びデータ終了点における時間及び／又は両点間の移動距離とに基づいて、利用者によって記入されたストロークがタップであるか否かを判定し、選択エリア５３においてタップされた回数（タップ回数）をカウントして検出する（ステップＳ２８）。具体的に、タップ回数検出手段６８は、エリア特定手段６３が特定した選択エリア５３のユーザエリア（エリアＩＤ「Ａ０３」）と、選択エリア５３へのタップ回数及びタップ時刻とを対応付けて一時的に情報記憶手段６０に記憶する。このとき、タップ回数検出手段６８は、選択エリア５３に対応付けて情報記憶手段６０に記憶されているタップ回数があるか否かを確認して、なければタップ回数の初期値を「０」とし、選択エリア５３へのタップ回数分だけ「１」を加算してカウントアップする。
【０１２１】
既に、情報記憶手段６０上において選択エリア５３に対応付けてタップ回数が記憶されている場合、タップ回数検出手段６８は、情報記憶手段６０に記憶されているタップ時刻（前回タップ時刻）と今回のタップ時刻（今回タップ時刻）との差分を算出し、差分が所定読取時間を超過しているか否かを判定する。判定の結果、所定読取時間（例えば３分）を超過している場合、タップ回数検出手段６８は、選択エリア５３に対応付けて情報記憶手段６０上に記憶されたタップ回数を初期値「０」とし、カウントをリセットした上で、当該選択エリア５３へのタップ回数分だけ「１」を加算することでカウントアップする。その一方、前回タップ時刻と今回タップ時刻との差分が所定読取時間を超過していない場合には、タップ回数検出手段６８は、情報記憶手段６０に記憶されているタップ回数に、当該ユーザエリアへのタップ回数分だけ「１」を加算してカウントアップする。そして、エリアＩＤ「Ａ０１」に対応付けてカウントしたタップ回数及び今回のタップ時刻を情報記憶手段６０に一時記憶させる。
【０１２２】
なお、タップ回数検出手段６８は、データ開始点及びデータ終了点の座標データから算出される両点間の移動距離（筆記された線の長さ）に基づいて、電子ペン用媒体に記入されたストロークがタップであるか否かを判定してもよい。
【０１２３】
音声データ抽出手段６９は、タップ回数検出手段６８が検出したタップ回数が変化する度に、変化後のタップ回数に基づいて、情報記憶手段６０が記憶した方法定義情報から対応する音声データを抽出する。つまり、音声データ抽出手段６９は、タップ回数検出手段６８により選択エリア５３へのタップ回数がカウントアップされる度に、当該タップ回数に基づいて方法定義情報から音声データを抽出する。続いて、音声出力手段７０は、音声データ抽出手段６９によって抽出された音声データを音声出力部７５に再生出力させる。つまり、音声出力手段７０は、タップ回数検出手段６８により選択エリア５３へのタップ回数がカウントアップされる度に、音声データ抽出手段６９が抽出した音声データに基づいて、送信方法に関する音声を音声出力部７５から出力する（ステップＳ２９）。
【０１２４】
さらに、決定判定手段７１は、エリア特定手段６３により選択エリア５３に対応すると特定された記入情報に基づいて、ＨＷＲやＯＣＲ等による文字認識処理を実行することにより、電子ペン１０Ｂを使用して選択エリア５３に送信方法の決定を示す記号（丸印）が記入されたか否かを判定する（ステップＳ３０）。送信方法の決定を示す記号（丸印）が記入されていないと判定した場合（ステップＳ３０；Ｎｏ）、決定判定手段７１は、文字認識処理の認識ミスであるか否かを判定する（ステップＳ３５）。認識ミスであると判定した場合（ステップＳ３５；Ｙｅｓ）、決定判定手段７１は、エラーメッセージに対応する音声データを音声出力部（スピーカ）７５に再生出力させる（ステップＳ３６）。なお、エラーメッセージに対応する音声データは、情報記憶手段６０に記憶されているものとする。一方、認識ミスではないと判定した場合（ステップＳ３５；Ｎｏ）、決定判定手段７１は、ステップＳ２１の処理に戻る。
【０１２５】
送信方法の決定を示す記号（丸印）が記入されたと判定した場合（ステップＳ３０；Ｙｅｓ）、タップ回数確定手段７２は、その時点においてタップ回数検出手段６８が検出したタップ回数、即ち情報記憶手段６０に記憶されているタップ回数を確定する。続いて、送信方法特定手段７３は、タップ回数確定手段７２により確定されたタップ回数に基づいて、情報記憶手段６０が記憶した方法定義情報から対応する送信方法を特定する（ステップＳ３１）。そして、送信手段７４は、画像データ作成手段６５が作成した画像データを、送信先アドレス特定手段６７が特定したアドレスに基づいて、送信方法特定手段７３が特定した送信方法により送信する（ステップＳ３２）。
【０１２６】
送信手段７４は、画像データ作成手段６５が作成した画像データを正常に送信できたか否かを判定する（ステップＳ３３）。正常に送信できなかったと判定した場合（ステップＳ３３；Ｎｏ）、送信手段７４は、ステップＳ３２の処理を再度実行する。一方、正常に送信できたと判定した場合（ステップＳ３３；Ｙｅｓ）、送信手段７４は、送信完了メッセージに対応する音声データを音声出力部７５に再生出力させる。なお、送信完了メッセージに対応する音声データは、情報記憶手段６０に記憶されているものとする。これにより、送信処理は完了する。
【０１２７】
このように、第２実施形態によれば、電子ペン１０Ｂがクロックを備えていなくても、端末装置２５Ｂが備えるクロックを利用して、記入情報（タップ情報）と、当該記入情報を電子ペン１０Ｂから取得した取得時刻とを関連付けて記憶しておくことで、タップ情報を認識し、送信処理を実行することができる。
【０１２８】
なお、上記第２実施形態において、端末装置２５Ｂのクロックを、電子ペン１０Ｂとの通信接続が確立した時点から通信接続状態が終了するまでの間、０から始まりストロークの記入中に経過していく記入時間（経過時間）を発信するようにしてもよい。また、端末装置２５Ｂの情報記憶手段６０に記憶する情報のデータ構造や、タップ回数検出手段６８による読取時間の判定方法や、音声出力部（スピーカ）７５により出力する音声データ等を、第１実施形態の変更例と同様に適宜変更してもよい。
【０１２９】
上述したように、上記第１及び第２実施形態によれば、電子ペン１０により選択エリア５３をタップする回数に応じて送信方法を選択することができると共に、各選択方法を説明する音声を出力することができる。よって、専用ペーパー２０上におけるユーザエリアのスペースを節約することができ、利用者はより自由にメッセージを記入することができる。
【０１３０】
なお、本発明は、上記第１及び第２実施形態に限られない。
【０１３１】
上記実施形態では、送信方法を説明する音声を利用者にフィードバックするよう構成したが、本発明はこれに限定されるものではなく、送信方法を説明するテキストや画像を再生するようにしてもよい。
【０１３２】
また、電子ペン１０内に、ペン自体又はその所有者に関するプロパティ情報（ペン情報又はペン所有者情報）を保持しておき、端末装置２５から参照することができるようにしてもよいし、プロパティ情報の全部又は一部を記入情報と共に端末装置２５に送信するようにしてもよい。ペン情報としては、バッテリーレベル、ペンＩＤ、ペン製造者番号、ペンソフトウェアのバージョン、サブスクリプションプロバイダのＩＤなどが挙げられる。また、ペン所有者情報としては、国籍、言語、タイムゾーン、emailアドレス、名称、住所、ファックス／電話番号、携帯電話番号などが挙げられる。
【０１３３】
また、上記実施形態では、ドットは赤外線を吸収するカーボンを含むインクとし、電子ペン１０のＬＥＤ１５を、赤外線を照射するＬＥＤとし、カメラ１６によって赤外線の反射量の差によって、電子ペン１０でドットパターンを読み取っていたが、これに限らない。例えば、ドットは所定波長の光によって所定波長を発光するインクとし、電子ペン１０のＬＥＤ１５を、ドットのインクを発光させる光を照射するものとし、カメラ１６によってドットのインクが発光する波長の領域を検知することによって、電子ペン１０でドットパターンを読み取るようにしてもよく、カメラ１６によってドットパターンが読み取れれば、ドットのインクの種別やＬＥＤ１５の照射光等は上記実施形態で示したものに限られない。また、専用ペーパー２０における位置座標が特定できるものであれば、ドットパターンの代わりに、別のコード化されたパターン、例えば、２次元コードパターンなどであってもよい。
【０１３４】
また、ドットパターンの割り当ては、通常、用紙の用途毎に行われるが、専用ペーパー２０を商業印刷機により大量印刷するような場合には、同一種類の電子ペン用媒体には同じドットパターンが印刷されることになる。この場合、同一種類の電子ペン用媒体を１枚１枚区別するため、電子ペン用媒体には、各媒体を識別する識別情報を記入するための識別情報記入欄を設けるとよい。端末装置２５において、電子ペン１０から取得した記入情報に基づいて、文字認識により識別情報記入欄に記入された識別情報を特定し、当該記入情報と対応付けて記憶しておけば、同種の電子ペン用媒体を１枚１枚区別することができる。この他、ペンＩＤを当該識別情報と共に当該記入情報と対応付けて記憶することとしてもよい。これにより、端末装置２５は、記憶した識別情報もしくは識別情報とペンＩＤに基づいて、各電子ペン用媒体を識別することができる。他方、プリンタにより印刷する場合には、用紙１枚１枚に異なるドットパターンを割り当てて、専用ペーパー２０を印刷することも可能である。この場合、各専用ペーパー２０に印刷されたドットパターンは、専用ペーパー２０毎に異なるため、ドットパターンによって専用ペーパー２０を１枚１枚識別し区別することができる。
【産業上の利用可能性】
【０１３５】
本発明は、タップ回数に応じた送信方法によって、任意のメッセージを第三者に送信することが可能な情報処理システムとして様々な分野で利用することができる。
【図面の簡単な説明】
【０１３６】
【図１】電子ペンの使用形態を模式的に示す図である。
【図２】第１実施形態における電子ペンの構成を示すブロック図である。
【図３】専用ペーパーに印刷されたドットパターンによる情報の表現方法を説明する図である。
【図４】（ａ）は、ドットパターンを模式的に示し、（ｂ）は、それに対応する情報の例を示す図である。
【図５】第１実施形態における電子ペン用媒体を示す図である。
【図６】端末装置の機能ブロック図である。
【図７】座標定義情報のデータ構造を模式的に示す図である。
【図８】座標データを説明する図である。
【図９】方法定義情報のデータ構造を模式的に示す図である。
【図１０】第１実施形態における専用アプリケーションのモジュール構成図である。
【図１１】第１実施形態における電子ペンの使用形態を示す図である。
【図１２】第１実施形態における送信処理のフローチャートである。
【図１３】決定エリアを有する電子ペン用媒体を示す図である。
【図１４】第２実施形態における電子ペンの構成を示すブロック図である。
【図１５】第２実施形態における送信処理のフローチャートである。
【符号の説明】
【０１３７】
１０，１０Ａ，１０Ｂ…電子ペン、１１…プロセッサ、１３…データ通信ユニット、１４…バッテリー、１５…ＬＥＤ、１６…カメラ、１８…圧力センサ、２０…専用ペーパー（電子ペン用媒体）、２２…クロック、２５，２５Ａ，２５Ｂ…端末装置、５０…専用アプリケーション、６０…情報記憶手段、６１…記入情報取得手段、６２…開始終了点特定手段、６３…エリア特定手段、６４…メッセージ記入情報特定手段、６５…画像データ作成手段、６６…テキストデータ作成手段、６７…送信先アドレス特定手段、６８…タップ回数検出手段、６９…音声データ抽出手段、７０…音声出力手段、７１…決定判定手段、７２…タップ回数確定手段、７３…送信方法特定手段、７４…送信手段、７５…音声出力部
【図１】
2009187236.tif 000003
【図２】
2009187236.tif 000004
【図３】
2009187236.tif 000005
【図４】
2009187236.tif 000006
【図５】
2009187236.tif 000007
【図６】
2009187236.tif 000008
【図７】
2009187236.tif 000009
【図８】
2009187236.tif 000010
【図９】
2009187236.tif 000011
【図１０】
2009187236.tif 000012
【図１１】
2009187236.tif 000013
【図１２】
2009187236.tif 000014
【図１３】
2009187236.tif 000015
【図１４】
2009187236.tif 000016
【図１５】
2009187236.tif 000017